(57)【要約】【課題】  小型で薄型の電子機器であっても統合可能である入力装置を提供する。【解決手段】  電子機器は、ハウジングと、このハウジングの第１の表面上に配設されており接触されると信号を出力可能なタッチパッドと、第２の表面上に配設されており信号を処理可能なプロセッサとを備える。ここで、第１の表面と第２の表面とは、非同一平面上にある。さらに、電子機器は、タッチパッド及びプロセッサと一体的に形成されており第１の表面上のタッチパッドと第２の表面上のプロセッサとを電気的に接続可能なフレキシブルプリント回路とを備える。【選択図】  図１(Ａ)
2008059589.tif 000002
【特許請求の範囲】
【請求項１】
第１の表面上に配設されており接触されると信号を出力可能なタッチパッドと、
第２の表面上に配設されており前記信号を処理可能なプロセッサと、
前記第１の表面上の前記タッチパッドと前記第２の表面上の前記プロセッサとを電気的に接続するフレキシブルプリント回路とを備え、
前記第１の表面と前記第２の表面とは、非同一平面上にあること
を特徴とする電子機器。
【請求項２】
さらに、ハウジングを備え、
前記タッチパッドは、前記ハウジングの側壁上に配設されており、
前記側壁は、傾斜した側壁又は垂直な側壁を含むこと
を特徴とする請求項１記載の電子機器。
【請求項３】
さらに、前記プロセッサに電気的に接続されたコネクタを備え、
前記コネクタは、複数のゴールドフィンガーを備え、
前記ゴールドフィンガーの１つは、接地に使用されること
を特徴とする請求項１記載の電子機器。
【請求項４】
さらに、前記タッチパッドに電気的に接続されたグラウンドパッドを備えること
を特徴とする請求項１記載の電子機器。
【請求項５】
その第１の表面上に形成された電気接点を有する主回路基板と、
前記主回路基板の上の第２の表面上に配設されており接触されると信号を出力可能なタッチパッドと、
前記第２の表面上に配設され且つ前記タッチパッドに接続されており前記信号を処理可能なプロセッサと、
前記プロセッサと前記電気接点とを電気的に接続するフレキシブルプリント回路とを備え、
前記第１の表面と前記第２の表面とは、非同一平面上にあること
を特徴とする電子機器。
【請求項６】
さらに、前記フレキシブルプリント回路と前記電気接点とを電気的に接続するコネクタを備え、
前記コネクタは、複数のゴールドフィンガーを備え、
前記ゴールドフィンガーの１つは、接地に使用されること
を特徴とする請求項５記載の電子機器。
【請求項７】
さらに、前記タッチパッドに電気的に接続されたグラウンドパッドを備えること
を特徴とする請求項５記載の電子機器。
【請求項８】
電子機器において使用されるインターフェース装置であって、
前記電子機器の第１の表面上に配設されており接触されると信号を出力可能なタッチパッドと、
前記電子機器の第２の表面上に配設されており前記信号を処理可能なプロセッサと、
前記タッチパッドと前記プロセッサとを電気的に接続するフレキシブルプリント回路とを備え、
前記第１の表面と前記第２の表面とは、非同一平面上にあること
を特徴とするインターフェース装置。
【請求項９】
さらに、前記プロセッサに電気的に接続されたコネクタを備え、
前記コネクタは、複数のゴールドフィンガーを備え、
前記ゴールドフィンガーの１つは、接地に使用されること
を特徴とする請求項８記載のインターフェース装置。
【請求項１０】
さらに、前記タッチパッドに電気的に接続されたグラウンドパッドを備えること
を特徴とする請求項８記載のインターフェース装置。
【請求項１１】
電子機器において使用されるインターフェース装置であって、
前記電子機器の第１の表面上に配設されており接触されると信号を出力可能なタッチパッドと、
前記タッチパッドに接続され且つ前記電子機器の第１の表面上に配設されており前記信号を処理可能なプロセッサと、
前記プロセッサに接続された一端と前記電子機器の第２の表面上に位置している他端とを有するフレキシブルプリント回路とを備え、
前記第１の表面と前記第２の表面とは、非同一平面上にあること
を特徴とするインターフェース装置。
【請求項１２】
さらに、前記フレキシブルプリント回路と一体的に形成されたコネクタを備え、
前記コネクタは、複数のゴールドフィンガーを備え、
前記ゴールドフィンガーの１つは、接地に使用されること
を特徴とする請求項１１記載のインターフェース装置。
【請求項１３】
さらに、前記タッチパッドと一体的に形成されたグラウンドパッドを備えること
を特徴とする請求項１１記載のインターフェース装置。
【請求項１４】
ハウジングと、
前記ハウジング内に配設されたディスプレイと、
前記ディスプレイに隣接する前記ハウジングの第１の表面上に配設されており接触されると信号を出力可能なタッチパッドと、
前記ハウジング内の第２の表面上に配設されており前記信号を処理可能なプロセッサと、
前記タッチパッドと前記プロセッサとを電気的に接続するフレキシブルプリント回路とを備え、
前記第１の表面と前記第２の表面とは、非同一平面上にあること
を特徴とする電子機器。
【請求項１５】
第１の表面上に配設され且つ接地されており接触されると信号を出力可能なタッチパッドと、
第２の表面上に配設されており前記信号を処理可能なプロセッサと、
前記タッチパッドと前記プロセッサとを電気的に接続するフレキシブルプリント回路とを備え、
前記第１の表面上の前記タッチパッドと前記第２の表面上の前記プロセッサとの間の電気的接続を形成し且つ接地されたフレキシブルプリント回路とを備え、
前記第１の表面と前記第２の表面とは、非同一平面上にあること
を特徴とする電子機器。
【請求項１６】
当該電子機器の第１の表面上に配設され且つ一端が接地されており接触されると信号を出力可能なタッチパッドと、
当該電子機器の第１の表面上に配設され且つ前記タッチパッドの他端に接続されており前記信号を処理可能なプロセッサと、
前記プロセッサ及び電気接点に接続された一端と当該電子機器の第２の表面上に位置しており接地された他端とを有するフレキシブルプリント回路とを備え、
前記第１の表面と前記第２の表面とは、非同一平面上にあること
を特徴とする電子機器。
【発明の詳細な説明】
【技術分野】
【０００１】
本発明は、一般に、入力装置に関し、特に、接触感知式入力装置及びその接触感知式入力装置を組み込んだ携帯型電子機器に関する。この特許出願は、２００６年８月３０日に出願された米国仮特許出願（出願番号６０／８２４，００６）の利益を享受するものであり、その内容は、引用することによってここに組み込まれる。
【背景技術】
【０００２】
半導体製造プロセスと遠隔通信技術の進歩にともない、携帯情報端末機（personal digital assistants；ＰＤＡ）等の電子機器や携帯電話機に使用する小型で軽量で薄型の入力装置への関心が増大している。しかしながら、キーボード、マウス、タッチパッド、タッチスクリーン、ジョイスティック等を具体例とする従来の入力装置は、一般に、電子機器に対しては大型すぎであり、そのため、電子機器の外部に余計な空間を必要としていた。その欠点を克服するために、電子機器に統合可能な入力装置が提案されている。そのような入力装置の具体例としては、"Method and Apparatus for Use of Rotational User Inputs"と題されたRobbin等による特許文献１を挙げることができる。Robbinは、ユーザ入力装置にてユーザによって供給された回転のユーザ動作を直線的な動きに変換する方法及び装置を開示している。しかしながら、回転のユーザ入力によって直線的な出力を得るよりも、直線的なユーザ入力によって直線的な出力を得る方が、光学的にも操作的も、より使い勝手がよいといえる。さらに、従来の入力装置は、ディスプレイ装置が位置している電子機器の表面上に配設されて構成されており、装置サイズの低減と当該装置の外部領域の実効性の低下とに役に立たない。
【０００３】
その結果、益々小型で薄型の電子機器に統合可能である入力装置を有しているのは望ましい。また、直線的なユーザ入力によって直線的な出力を得ることができる入力装置を有しているのも望ましい。さらに、領域効率を向上させるために、構成及びパターンに柔軟性を提供する入力装置を有しているのは望ましい。
【０００４】
【特許文献１】米国特許出願公開第２００３／００９５０９６号明細書
【発明の開示】
【発明が解決しようとする課題】
【０００５】
本発明は、このような実情に鑑みてなされたものであり、ＰＤＡや携帯電話機等の携帯型電子機器において使用される接触感知式入力装置としてのインターフェース装置、及びそのインターフェース装置を使用した電子機器を提供することを目的とする。
【課題を解決するための手段】
【０００６】
本発明は、ハウジングと、前記ハウジングの第１の表面上に配設されており接触されると信号を出力可能なタッチパッドと、第２の表面上に配設されており前記信号を処理可能なプロセッサと、前記第１の表面上の前記タッチパッドと前記第２の表面上の前記プロセッサとを電気的に接続するフレキシブルプリント回路とを含み、前記第１の表面と前記第２の表面とは、非同一平面上にあることを特徴とする電子機器を提供する。
【０００７】
また、本発明は、その第１の表面上に形成された電気接点を有する主回路基板と、前記主回路基板の上の第２の表面上に配設されており当該タッチパッド上のオブジェクトの動きを検出可能なタッチパッドと、前記第２の表面上に配設され且つ前記タッチパッドに電気的に接続されており前記タッチパッドの出力を処理可能なプロセッサと、前記プロセッサに接続され前記タッチパッド及び前記プロセッサと一体的に形成された一端と前記電気接点に電気的に接続された他端とを有するフレキシブルプリント回路とを含み、前記第１の表面と前記第２の表面とは、非同一平面上にあることを特徴とする電子機器を提供する。
【０００８】
さらに、本発明は、電子機器において使用されるインターフェース装置であって、前記電子機器の第１の表面上に配設されており当該タッチパッド上のオブジェクトの動きを検出可能なタッチパッドと、前記電子機器の第２の表面上に配設されており前記タッチパッドの出力を処理可能なプロセッサと、前記タッチパッドと前記プロセッサとの間に接続され前記タッチパッド及び前記プロセッサと一体的に形成されたフレキシブルプリント回路とを含み、前記第１の表面と前記第２の表面とは、非同一平面上にあることを特徴とするインターフェース装置を提供する。
【０００９】
さらにまた、本発明は、電子機器において使用されるインターフェース装置であって、前記電子機器の第１の表面上に配設されており当該タッチパッド上のオブジェクトの動きを検出可能なタッチパッドと、前記タッチパッドに接続され且つ前記電子機器の第１の表面上に配設されており前記タッチパッドの出力を処理可能なプロセッサと、前記プロセッサに接続された一端と前記電子機器の第２の表面上に位置する他端とを有するフレキシブルプリント回路とを含み、前記第１の表面と前記第２の表面とは、非同一平面上にあることを特徴とするインターフェース装置を提供する。
【００１０】
以上の一般的な記述と以下の詳細な記述は、双方とも、単に模範的且つ説明的であり、特許請求の範囲として請求される本発明を限定しないことは理解されることになっている。
【発明の効果】
【００１１】
このような本発明は、小型で薄型の電子機器であっても統合可能である入力装置を提供することができる。
【発明を実施するための最良の形態】
【００１２】
以下、本発明を適用した具体的な実施の形態について図面を参照しながら詳細に説明する。上述した概要や以下の本発明の詳細な説明は、添付された図面に関連して熟読するとより理解されるであろう。本発明を例示する目的のために、図面において、本発明と一致した具体例が示される。しかしながら、本発明は、ここに示される正確な配置や手段に限定されるものではないことは理解されるべきである。
【００１３】
ここに、詳細に本発明の具体例が参照される。その具体例は、添付された図面において例示される。可能である箇所はどこでも、同一又は同様部分を参照するために、全ての図面を通して同一符号が使用される。図面は、大幅な簡易形式であって正確なスケールではないことに注意すべきである。ここでの開示に関して、利便及び明確化のみを目的として、前、横、後のような方向を示す用語が添付された図面に関して使用される。図面の以下の記述に関して使用されたそのような方向を示す用語は、添付された特許請求の範囲においていかなる方法によっても明確に説明されなかった本発明の範囲を限定するように解釈されるべきではない。
【００１４】
図１(Ａ)及び図１(Ｂ)は、本発明の具体例と一致する入力装置１０の図である。図１(Ａ)を参照すると、入力装置１０は、タッチパッド１１と、フレキシブルプリント回路（flexible printed circuit；ＦＰＣ）１２と、プロセッサ１３とを含む。入力装置１０におけるタッチパッド１１、ＦＰＣ１２、及びプロセッサ１３は、電気的に接続され、１つの要素として一体的に形成されている。入力装置１０は、ユーザと、例えばＰＤＡ、携帯電話機、又はノートブック型コンピュータのような電子機器とのインターフェースとしての役目を果たす。タッチパッド１１は、例えばユーザの指やペン等を介したユーザ入力を受け取ることができる接触感知式装置に言及する。特に、タッチパッド１１を用いたディスプレイ画面上のカーソルの動きは、タッチパッド１１の表面に沿って指がタップしたり動いたりするようなユーザの指の相対的な動きに対応している。タッチパッド１１は、１回以上のタップが当該タッチパッド１１の表面上で検出されるとき、ディスプレイ画面上での選択を容易にする。本発明と一致する１つの具体例において、直線的なユーザ入力、すなわち、タッチパッド１１上でのユーザの指の直線的な運動は、直線的又は連続的な出力、すなわち、ディスプレイ画面上でのカーソルやポインタの直線的又は連続的な動きに変換される。他の具体例において、直線的なユーザ入力は、円状の出力に変換される。さらに他の具体例において、円状のユーザ入力は、直線状の出力に変換される。１つの具体例におけるタッチパッド１１は、容量タイプのタッチパッドであるため、ユーザの指のタップや動きが静電容量の変化をもたらす。変化した静電容量に関する情報を含む信号は、ＦＰＣ１２を介してプロセッサ１３に伝送され、当該プロセッサ１３によって検出される。集積回路（integrated circuit；ＩＣ）の形式で構成されたプロセッサ１３は、コネクタ１４を介して、主回路基板上のメインプロセッサに電気的に接続可能とされる。１つの具体例において、コネクタ１４は、ゴールドフィンガー１４０等の導電性ワイヤが形成されたシートの形式で構成される。コネクタ１４は、主回路基板上に配設された雌コネクタを接続するための雄コネクタを含み、その逆も同様である。
【００１５】
本発明と一致する１つの具体例において、入力装置１０は、電気的に接地する目的のために、さらに、タッチパッド１１と一体的に形成されたグラウンドパッド１５を含む。グラウンドパッド１５は、例えばフレキシブルな導電性シートを含む。本発明と一致する他の具体例において、入力装置１０は、電磁障害（electromagnetic interference；ＥＭＩ）からプロセッサ１３を保護するために、さらに、金属性のシールドカバー１６を含む。シールドカバー１６は、プロセッサ１３を支持する基板１７のグラウンド層１７０に電気的に接続されている。１つの具体例において、コネクタ１４のゴールドフィンガー１４０の１つは、グラウンド層１７０に電気的に接続されている。
【００１６】
図１(Ｂ)を参照すると、操作中において、ＦＰＣ１２は、タッチパッド１１とプロセッサ１３とが図示しない電子機器の異なる位置や異なる表面に位置することができるように柔軟に屈曲される。したがって、タッチパッド１１とプロセッサ１３との位置は、非同一平面上であり、これは、電子機器の外部領域の実効性を向上させる。さらに、グラウンドパッド１５は、タッチパッド１１とグラウンドパッド１５とが電子機器の異なる位置や異なる表面に位置することもできるように柔軟に屈曲される。したがって、タッチパッド１１とグラウンドパッド１５との位置は、非同一平面上である。
【００１７】
図１(Ｃ)は、本発明の具体例と一致する入力装置１０の概略図である。図１(Ｃ)を参照すると、入力装置１０は、互いに分離され且つ非接触感知領域１１２によって周囲を囲まれた複数の接触感知領域１１０をさらに含むタッチパッド１１を含む。
【００１８】
図２(Ａ)は、本発明の具体例と一致する電子機器２０の分解斜視図である。図２(Ａ)を参照すると、例えばＰＤＡや携帯電話機等の電子機器２０は、フロントカバー２１とバックカバー２２とをさらに含むハウジングと、このハウジング内に配設された主回路基板２３と、フロントカバー２１の開口内に配設されたディスプレイ装置２４と、フロントカバー２１上に配設されたキーパッド２５と、入力装置１０とを含む。入力装置１０は、タッチパッド１１と、ＦＰＣ１２と、プロセッサ１３と、コネクタ１４と、可撓性のあるグラウンドパッド１５とを含む。組み立てられると、タッチパッド１１は、フロントカバー２１の傾斜した側壁２１０の凹領域２１１内の表面上に位置する。例えばプラスチックシートであるカバー１１１がハウジングとともに構成され、物理的な破損、汚染、又は湿気の攻撃からタッチパッド１１を保護する。当業者は、タッチパッド１１が何ら凹領域又はカバー１１１による保護がない状態で側壁２１０上に配設されてもよいことを理解するであろう。ＦＰＣ１２及びフレキシブルなグラウンドパッド１５は、凹領域２１１に隣接するスロット２１２を介してフロントカバー２１とバックカバー２２とによって画定される内部空間に延在する。スロット２１２は、フロントカバー２１とバックカバー２２とが組み立てられると形成される。コネクタ１４は、主回路基板２３に配設されたコネクタ２３４に電気的に結合されている。主回路基板２３は、接地を容易にするために、さらにグラウンド領域２３６を含む。
【００１９】
図２(Ｂ)は、図２(Ａ)に示した電子機器２０を組み立てたときの斜視図である。図２(Ｂ)を参照すると、タッチパッド１１は、ディスプレイ装置２４の近傍の傾斜した側壁２１０上に配設される。傾斜した側壁２１０は、ディスプレイ装置２４に対して傾斜面を含む。
【００２０】
図２(Ｃ)は、図２(Ａ)に示した電子機器２０を組み立てたときの断面図である。図２(Ｃ)を参照すると、タッチパッド１１は、傾斜した側壁２１０上の凹領域２１１内の表面上に配設される。グラウンドパッド１５は、ＬＣＤディスプレイ装置２４を支えるディスプレイモジュールケーシング２４０に電気的に接続されている。特に、グラウンドパッド１５の一部は、接地のために、導電性のディスプレイモジュールケーシング２４０の表面２４１に電気的に接続されている。内部空間にて屈曲されたＦＰＣ１２は、主回路基板２３の背面２３１上に位置するプロセッサ１３を電気的に接続するように当該主回路基板２３にわたっている。凹領域２１１内の表面と主回路基板２３の背面２３１とは、非同一平面上にある。プロセッサ１３は、基板１７上に保持され、金属シールドカバー１６によって囲まれている。本具体例において、バックカバー２２に対して固定されたスポンジ等の弾力のある付勢部材２２１（図２(Ａ)も参照する。）は、主回路基板２３の背面２３１上にプロセッサ１３が位置することができるとともに、金属シールドカバー１６が背面２３１上に形成されたグラウンド領域２３６に接触することができるように、基板１７に対して隣接している。
【００２１】
図２(Ｄ)は、図２(Ａ)に示した電子機器２０の主回路基板２３の背面図である。図２(Ｄ)を参照すると、入力装置１０のコネクタ１４は、主回路基板２３の背面２３１上に配設されたコネクタ２３４に電気的に結合されている。破線で示すディスプレイモジュールケーシング２４０及びグラウンドパッド１５は、双方とも、主回路基板２３の符号を付していない前面の上に配設されている。図２(Ｃ)も参照すると、タッチパッド１１、グラウンドパッド１５、及びプロセッサ１３と基板１７と金属シールドカバー１６とを含む符号を付していないパッケージは、電子機器２０の異なる表面に配設されており、これら表面は、非同一平面上にある。
【００２２】
当業者は、電子機器の入力装置が単一の接地端子を含むのであれば"アンテナ効果"が電子機器に生じることを理解する。タッチパッドとプロセッサとを電気的に接続した状態でタッチパッドとプロセッサとフレキシブルプリント回路（ＦＰＣ）とを含む電子機器の入力装置の具体例にとって、ＦＰＣが、グラウンド層や当該ＦＰＣ上に形成されたコネクタのゴールドフィンガーの１つによってのみ主回路基板とともに接地されるならば、携帯電話機等の電子機器が無線周波数（radio frequency；ＲＦ）信号を放射する場合には、ＲＦ信号は、タッチパッドにおいてノイズ信号を生じさせるかもしれず、入力装置には単一の接地端子しかないことから、そのノイズ信号は、ディスプレイ装置上でのカーソル動作を順次阻害することになり得る。そのような現象は、"アンテナ効果"と称される。
【００２３】
アンテナ効果から電子機器を防ぐために、本発明と一致する具体例において、図１(Ａ)を参照すると、図示しない電子機器の入力装置１０は、タッチパッド１１と、プロセッサ１３と、タッチパッド１１とプロセッサ１３とを電気的に接続するフレキシブルプリント回路（ＦＰＣ）１２と、接地目的のためにＦＰＣ１２に電気的に接続されたグラウンド層又はコネクタ１４と、接地のためにタッチパッド１１の一端から延在したグラウンドパッド１５とを含む。これにより、入力装置１０は、２つのグラウンド端子を含む。そうでなければＲＦ信号と入力装置との相互作用のために電子機器に生じるかもしれないアンテナ効果は、大幅に軽減される。
【００２４】
図３は、本発明の他の具体例と一致する電子機器３０の概略図である。図３を参照すると、電子機器３０は、傾斜した側壁２１０の代わりに垂直な側壁３１０を含むこと以外は、図２(Ｂ)に示した電子機器２０と構造において同様である。この具体例において、入力装置１０はまた、電子機器３０の側壁３１０上に位置しており、フロントカバー３１上に配設されたディスプレイ装置３４に対して垂直とされる。
【００２５】
図４は、本発明の他の具体例と一致する入力装置４０の概略図である。図４を参照すると、図示しない電子機器において使用される入力装置４０は、タッチパッド４１と、タッチパッド４１の一端に直接接続されたプロセッサ４３と、一端がプロセッサ４３に接続されたＦＰＣ４２とを含む。タッチパッド４１は、電子機器の側壁上に位置するように使用される。入力装置４０は、さらに、ＦＰＣ４２の他端から延在するコネクタ４４と、タッチパッド４１の他端から延在するグラウンドパッド４５とを含む。上述したように、例えば、ＦＰＣ４２の他端上に形成されたコネクタ４４は、電子機器の図示しない主回路基板上の表面上又は位置に形成されたコネクタを含む電気接点に電気的に接続可能とされ、グラウンドパッド４５は、図示しない導電性のモジュールケーシングに電気的に接続可能とされる。したがって、ＦＰＣ４２の２つの端部は、非同一平面上の異なる表面上に位置することになる。
【００２６】
図５(Ａ)は、本発明の他の具体例と一致する電子機器５０の概略図である。図５(Ａ)を参照すると、電子機器５０は、主回路基板５３と、ディスプレイ装置５４と、キーパッド５５と、図４に示したような入力装置４０とを含む。なお、電子機器５０のハウジングは、明確な図示のために省略されている。ディスプレイ装置５４及びキーパッド５５は、双方とも、主回路基板５３の上に配設されている。タッチパッド４１及びプロセッサ４３は、双方とも、主回路基板５３の上に配設されている。プロセッサ４３は、電子機器５０のハウジング内に隠されて使用され、タッチパッド４１は、電子機器５０のハウジングの側壁上に配設されて露出されて使用される。ＦＰＣ４２の他端は、主回路基板５３の裏面に形成された図示しないコネクタを含む電気接点を電気的に接続するように、主回路基板５３の側面５３０にわたって延在している。グラウンドパッド４５は、例えば、主回路基板５３上に形成された図示しないグラウンド領域と電気的に接続するように屈曲される。
【００２７】
図５(Ｂ)及び図５(Ｃ)は、本発明のさらに他の具体例と一致する電子機器５０１，５０２の概略図である。図５(Ｂ)を参照すると、電子機器５０１は、ＦＰＣ４２が主回路基板５３にわたって延在するのを容易にするように、主回路基板５３の側面５３０に切り込み５１２が形成されていること以外は、図５(Ａ)に示した電子機器５０と構造において同様である。図５(Ｃ)を参照すると、電子機器５０２は、ＦＰＣ４２が主回路基板５３にわたって延在するのを容易にするように、主回路基板５３を通る開口５１３が形成されていること以外は、図５(Ａ)に示した電子機器５０と構造において同様である。図５(Ａ)、図５(Ｂ)、図５(Ｃ)に示す具体例において、それらは、ＦＰＣ４２の２つの端部が位置している異なる表面が非同一平面上にあることを明らかにしている。
【００２８】
図６(Ａ)及び図６(Ｂ)は、本発明のさらに他の具体例と一致する、図示しない電子機器において使用される入力装置６０，７０の概略図である。図６(Ａ)を参照すると、入力装置６０は、タッチパッド６１と、プロセッサ６３と、タッチパッド６１とプロセッサ６３とを接続するＦＰＣ６２と、プロセッサ６３に接続されたコネクタ６４とを含む。タッチパッド６１は、電子機器の側壁上に位置するように使用される。タッチパッド６１は、流線形状を呈し、コネクタ６４は、プロセッサ６３に一体化されている。図６(Ｂ)を参照すると、入力装置７０は、矩形状を呈するタッチパッド７１と、タッチパッド７１に接続されたプロセッサ７３と、プロセッサ７３に接続されたＦＰＣ７２と、ＦＰＣ７２に一体化されたコネクタ７４とを含む。
【００２９】
広範な本発明の概念から離れることなく、上述した１つ以上の具体例を変更することができることは、当業者によって評価されるであろう。したがって、本発明は、開示された特定の具体例に限定されないことが理解され、添付された特許請求の範囲で定義されるような本発明の範囲内における変更を含むように意図される。
【図面の簡単な説明】
【００３０】
【図１（Ａ）】本発明の具体例と一致する入力装置の図である。
【図１（Ｂ）】本発明の具体例と一致する入力装置の図である。
【図１（Ｃ）】本発明の他の具体例と一致する入力装置の概略図である。
【図２（Ａ）】本発明の具体例と一致する電子機器の分解斜視図である。
【図２（Ｂ）】図２(Ａ)に示す電子機器を組み立てたときの斜視図である。
【図２（Ｃ）】図２(Ａ)に示す電子機器を組み立てたときの断面図である。
【図２（Ｄ）】図２(Ａ)に示す電子機器の主回路基板を後方からみたときの平面図である。
【図３】本発明の他の具体例と一致する電子機器の概略図である
【図４】本発明の他の具体例と一致する入力装置の概略図である。
【図５（Ａ）】本発明の他の具体例と一致する電子機器の概略図である。
【図５（Ｂ）】本発明のさらに他の具体例と一致する電子機器の概略図である。
【図５（Ｃ）】本発明のさらに他の具体例と一致する電子機器の概略図である。
【図６（Ａ）】本発明のさらに他の具体例と一致する入力装置の概略図である。
【図６（Ｂ）】本発明のさらに他の具体例と一致する入力装置の概略図である。
【符号の説明】
【００３１】
１０，４０，６０，７０  入力装置
１１，４１，６１，７１  タッチパッド
１２，４２，６２，７２  フレキシブルプリント回路
１３，４３，６３，７３  プロセッサ
１４，４４，６４，７４，２３４  コネクタ
１５，４５  グラウンドパッド
１６  金属シールドカバー
１７  基板
２０，３０，５０，５０１，５０２  電子機器
２１，３１  フロントカバー
２２  バックカバー
２３，５３  主回路基板
２４，３４，５４  ディスプレイ装置
２５，５５  キーパッド
１１０  接触感知領域
１１１  カバー
１１２  非接触感知領域
１４０  ゴールドフィンガー
１７０  グラウンド層
２１０，３１０  側壁
２１１  凹領域
２１２  スロット
２２１  付勢部材
２３１  背面
２３６  グラウンド領域
２４０  ディスプレイモジュールケーシング
２４１  表面
５１２  切り込み
５１３  開口
５３０  側面
【図１（Ａ）】
2008059589.tif 000003
【図１（Ｂ）】
2008059589.tif 000004
【図１（Ｃ）】
2008059589.tif 000005
【図２（Ａ）】
2008059589.tif 000006
【図２（Ｂ）】
2008059589.tif 000007
【図２（Ｃ）】
2008059589.tif 000008
【図２（Ｄ）】
2008059589.tif 000009
【図３】
2008059589.tif 000010
【図４】
2008059589.tif 000011
【図５（Ａ）】
2008059589.tif 000012
【図５（Ｂ）】
2008059589.tif 000013
【図５（Ｃ）】
2008059589.tif 000014
【図６（Ａ）】
2008059589.tif 000015
【図６（Ｂ）】
2008059589.tif 000016